(57)【特許請求の範囲】
【請求項１】
長方形状の１枚のシート(12)を２つに折畳むことにより形成された表紙部(14)及び裏紙部(15)と、
前記表紙部(14)及び前記裏紙部(15)の互いに重ね合せられた一対の端縁に沿って設けられ本(12)又は冊子に綴込まれる一対の綴代(14a,15a)と、
前記表紙部(14)及び前記裏紙部(15)のうちのいずれか一方又は双方の綴代(14a,15a)近傍に前記綴代(14a,15a)と略平行に形成されたミシン目(14b,15b)と、
前記表紙部(14)及び前記裏紙部(15)のうちのいずれか一方又は双方に形成された窓孔(16)と、
前記窓孔(16)を塞いで前記窓孔(16)周縁に接着された透明シート(26)と、
一部が前記窓孔(16)に臨むように前記裏紙部(15)又は前記表紙部(14)のいずれか一方の内面に剥離可能に接着された営業促進物(17)と
を備えた綴込み用リーフレット。
【請求項２】
営業促進物(17)が商品見本、カード、割引券、優待券、招待券又は会員券である請求項１記載の綴込み用リーフレット。
【請求項３】
裏紙部(15)又は表紙部(14)のうちのいずれか一方に返信用ハガキ(18)が印刷され、前記ハガキ(18)の周縁にミシン目(18a)が形成された請求項１記載の綴込み用リーフレット。
【請求項４】
表紙部(14)及び裏紙部(15)の互いに重ね合せられた上縁及び下縁がそれぞれ剥離可能に接着され密封された袋状に形成された請求項１記載の綴込み用リーフレット。
【発明の詳細な説明】
【０００１】
【産業上の利用分野】
本発明は本や冊子に綴込むためのリーフレットに関する。更に詳しくは営業促進用の商品見本、カード、割引券、優待券、招待券又は会員券が同封されたリーフレットに関するものである。
【０００２】
【従来の技術】
従来、雑誌やカタログ等の本やパンフレット等の冊子にはミシン目にて切り離し可能な返信用ハガキが綴込まれている。上記本等のうち返信用ハガキが綴込まれたページにこのハガキの提供者の取扱う商品等の写真や説明文が記載されており、この商品等に興味を示した本又は冊子の購読者又は読者は返信用ハガキをミシン目にて切り離し、所定事項を記入して投函する。これによりハガキの提供者はその取扱う商品等に興味を示した購読者等を容易に知ることができる。
【０００３】
【発明が解決しようとする課題】
しかし、上記従来の返信用ハガキでは、本又は冊子の購読者又は読者の目を惹き付けることが難しく、ハガキを綴込んだページに記載された商品等の説明文等も読まれない恐れがあった。
【０００４】
本発明の目的は、本又は冊子の購読者又は読者に興味を持たせることができ、その購読者等が表紙部及び裏紙部の内面に記載された内容を読む確率が極めて高くなる綴込み用リーフレットを提供することにある。
本発明の別の目的は、返信用ハガキが投函されることにより営業促進物の提供者の取扱う商品等に興味を示した購読者等を容易に知ることができ、密封された袋状に形成することにより営業促進物が裏紙部又は表紙部から剥がれても本又は冊子から脱落することのない綴込み用リーフレットを提供することにある。
【０００５】
【課題を解決するための手段】
上記目的を達成するための本発明の構成を、実施例に対応する図１及び図２を用いて説明する。
本発明の綴込み用リーフレットは、長方形状の１枚のシート１３を２つに折畳むことにより形成された表紙部１４及び裏紙部１５と、表紙部１４及び裏紙部１５の互いに重ね合せられた一対の端縁に沿って設けられ本１２又は冊子に綴込まれる一対の綴代１４ａ，１５ａと、表紙部１４及び裏紙部１５のうちのいずれか一方又は双方の綴代１４ａ，１５ａ近傍に綴代１４ａ，１５ａと略平行に形成されたミシン目１４ｂ，１５ｂと、表紙部１４及び裏紙部１５のうちのいずれか一方又は双方に形成された窓孔１６と、窓孔１６を塞いで窓孔１６周縁に接着された透明シート２６と、一部が窓孔２６に臨むように裏紙部１５又は表紙部１４のいずれか一方の内面に剥離可能に接着された営業促進物１７とを備えたものである。
また、上記リーフレットでは、裏紙部１５又は表紙部１４のうちのいずれか一方に返信用ハガキ１８を印刷し、このハガキ１８の周縁にミシン目１８ａを形成することが好ましい。
更に、上記リーフレットでは、表紙部１４及び裏紙部１５の互いに重ね合せられた上縁及び下縁をそれぞれ剥離可能に接着し、リーフレット１１を密封された袋状に形成することもできる。
【０００６】
【作用】
リーフレット１１の窓孔１６からは営業促進物１７の一部しか視認できないため、本１２又は冊子の購読者又は読者は興味を示し、ミシン目１４ｂ，１５ｂにてリーフレット１１を切り離して表紙部１４及び裏紙部１５を開き、裏紙部１５に固定された営業促進物１７を剥がして表紙部１４及び裏紙部１５の内面や営業促進物１７に記載された内容を読む。表紙部１４及び裏紙部１５の内面に印刷された内容に興味を示した購読者等は返信用ハガキ１８をミシン目１８ａにて切り離して投函する。
【０００７】
【実施例】
次に本発明の一実施例を図面に基づいて詳しく説明する。
図１及び図２に示すように、雑誌やカタログ等の本１２に綴込まれるリーフレット１１は長方形状の１枚のシート１３をその横方向中央で２つに折畳むことにより形成された表紙部１４及び裏紙部１５と、表紙部１４の上部に形成された四角形状の窓孔１６と、裏紙部１５の内面上部に固定された営業促進物である割引券１７とを備える。１３ａはシート１３の折れ目である。表紙部１４及び裏紙部１５の周縁のうち折れ目と平行な互いに重ね合せられた一対の端縁に沿って所定の幅を有する一対の綴代１４ａ，１５ａが設けられる（図１）。一対の綴代１４ａ，１５ａ近傍の表紙部１４及び裏紙部１５には上記綴代１４ａ，１５ａから所定の間隔をあけて綴代１４ａ，１５ａと略平行にミシン目１４ｂ，１５ｂがそれぞれ形成される。また裏紙部１４の下部には返信用ハガキ１８が印刷される。返信用ハガキ１８の周縁、即ちこのハガキ１８の上縁及び両側縁にはミシン目１８ａが形成され、このハガキ１８の表面となる裏紙部１５の内面には上記割引券１７の提供者の住所氏名等（図示せず）が印刷され、ハガキ１８の裏面となる裏紙部１５の表面には上記提供者の取扱う商品等に対するアンケート項目（図示せず）や購読者の住所氏名を記載可能な欄（図示せず）等が印刷される。また表紙部１４及び裏紙部１５の内面には図示しないが上記提供者の取扱う商品等の写真や説明文等が印刷される。
【０００８】
表紙部１４の内面のうち窓孔１６の全周縁には第１接着剤層２１が形成され（図１（ａ））、表紙部１４の内面のうち上縁及び下縁には第２及び第３接着剤層２２，２３がそれぞれ形成され（図１（ａ）及び（ｂ））、裏紙部１５の内面上部のうちシート１３を折畳んだ状態で窓孔１６に対向する位置には第４接着剤層２４が形成される（図１（ａ））。第２〜第４接着剤層２２〜２４は植物ゴムを主成分とする透明な糊で、接着後引き剥がすとシート１３や割引券１７を破らずに簡単に剥離できるものである。窓孔１６はこの窓孔１６より一回り大きい長方形状のビニール樹脂製の透明シート２６を第１接着剤層２１にて表紙部１４の内面の窓孔１６の周縁に接着することにより塞がれる。また割引券１７は第４接着剤層２４にて裏紙部１５の内面上部に固定される。この割引券１７の表面には上部に「割引券」という文字が印刷され、下部に「￥２，０００」という文字が印刷される。シート１３を折れ目１３ａにて折畳むと表紙部１４及び裏紙部１５の上縁及び下縁が第２及び第３接着剤層２２，２３にてそれぞれ互いに接着され、窓孔１６からは割引券１７に印刷された「￥２，０００」という文字のみが視認できるようになっている（図１（ｃ）及び図２）。この状態でリーフレット１１は本１２の所定のページに綴込まれる（図２）。
【０００９】
このように構成された綴込み用リーフレット１１は、本１２の購読者の目に止まり、このリーフレット１１の窓孔１６に臨む「￥２，０００」という文字を見て、これは何であろうと、興味を示す。興味を示した購読者はミシン目１４ｂ，１５ｂにてリーフレット１１を切り離し、剥離可能な第２及び第３接着剤層２２，２３にて互いに接着された表紙部１４及び裏紙部１５を開き、更に剥離可能な第４接着剤層２４にて固定された割引券１７を剥がす。表紙部１４及び裏紙部１５の内面に記載された商品等の説明文を読んで更に興味を示した購読者は割引券１７を使用できる店や催し物会場に出向いたり、或いは返信用ハガキ１８をミシン目１８ａにて裏紙部１５から切り離しかつこのハガキ１８の裏面に所定の事項を記入して投函する。この結果、上記提供者はその取扱う商品等に興味を示した購読者等を容易に知ることができる。
【００１０】
なお、上記実施例では営業促進物として割引券を挙げたが、これは一例であって商品見本、カード、優待券、招待券又は会員券でもよい。営業促進物が商品見本の場合には興味を示した購読者はその商品見本を試す。
また、上記実施例ではリーフレットを雑誌やカタログ等の本に綴込んだが、これに限らずパンフレット等の冊子に綴込んでもよい。
また、上記実施例では表紙部及び裏紙部の双方の綴代近傍に綴代と略平行にミシン目を形成したが、表紙部及び裏紙部のいずれか一方の綴代近傍に綴代と略平行にミシン目を形成してもよい。
また、上記実施例では表紙部に窓孔を形成したが、裏紙部に窓孔を形成しても、或いは表紙部及び裏紙部の双方に窓孔を形成してもよい。
また、上記実施例では裏紙部の内面に剥離可能に営業促進物を接着したが、営業促進物の一部が窓孔に臨むように接着できれば、営業促進物を表紙部の内面に剥離可能に接着してもよい。
更に、上記実施例では裏紙部に返信用ハガキを印刷し、このハガキの周縁にミシン目を形成したが、表紙部に返信用ハガキを印刷し、このハガキの周縁にミシン目を形成してもよい。
【００１１】
【発明の効果】
以上述べたように、本発明によれば、１枚のシートを２つに折畳んで表紙部及び裏紙部を形成し、表紙部及び裏紙部の一対の端縁に沿って一対の綴代を設け、綴代近傍に綴代と略平行にミシン目を形成し、表紙部又は裏紙部に形成された窓孔を透明シートが塞ぎ、更に裏紙部又は表紙部の内面に剥離可能に接着された営業促進物の一部が窓孔に臨むように構成したので、本又は冊子の購読者又は読者は窓孔に臨む営業促進物の一部の記載内容に興味を示し、リーフレットをミシン目から切り離して表紙部及び裏紙部を開いて内容を見ることになる。この結果、その購読者等が表紙部及び裏紙部の内面に記載された内容を読む確率が極めて高くなる。
【００１２】
また、裏紙部又は表紙部のうちのいずれか一方に返信用ハガキを印刷し、ハガキの周縁にミシン目を形成すれば、そのハガキが投函されることにより営業促進物の提供者の取扱う商品等に興味を示した購読者等を容易に知ることができる。更に、表紙部及び裏紙部の互いに重ね合せられた上縁及び下縁をそれぞれ剥離可能に接着し、密封された袋状に形成すれば、営業促進物が裏紙部又は表紙部から剥がれても本又は冊子から脱落することはない。
【図面の簡単な説明】
【図１】本発明一実施例の綴込み用リーフレットの製作工程図。
【図２】そのリーフレットを本に綴込んだ状態を示す斜視図。
【符号の説明】
１１  リーフレット
１２  本
１３  シート
１４  表紙部
１４ａ，１５ａ  綴代
１４ｂ，１５ｂ，１８ａ  ミシン目
１５  裏紙部
１６  窓孔
１７  割引券（営業促進物）
１８  返信用ハガキ
２６  透明シート
【図１】
0003637976.tif 000002
【図２】
0003637976.tif 000003